(57)【要約】【課題】  広い周波数帯域での動作が可能で、しかも設計の自由度の向上を図ることができる広帯域増幅器及びＩ−Ｖ変換器を提供する。【解決手段】  電流帰還型ＯＰアンプＡ２の反転入力端子に出力が接続された高入力インピーダンスを有するバッファＡ１と、このバッファＡ１の入力信号及び予め定められた基準電圧が入力されるとともに、電流帰還型ＯＰアンプＡ２の同相入力端子に出力が接続された演算増幅器Ａ３から成る複数の増幅手段で構成されている。【選択図】      図１
2005064903.tif 000002
【特許請求の範囲】
【請求項１】
電流帰還型ＯＰアンプと、
前記電流帰還型ＯＰアンプの反転入力端子に出力が接続された高入力インピーダンスを有する第１の増幅手段と、
前記第１の増幅手段の入力信号及び予め定められた基準電圧が入力され、前記電流帰還型ＯＰアンプの同相入力端子に出力が接続された第２の増幅手段と
を具備したことを特徴とする広帯域増幅器。
【請求項２】
信号入力端子に一端が接続された入力抵抗素子と、
前記入力抵抗素子の他端が接続される高入力インピーダンスを有する第１の増幅手段と、
反転入力端子と同相入力端子を有する電流帰還型ＯＰアンプからなり、前記第１の増幅手段の出力端が第１の抵抗素子を介して前記反転入力端子に接続された第２の増幅手段と、
反転入力端子と同相入力端子を有し、該反転入力端子が第２の抵抗素子を介して前記第１の増幅手段の入力端に接続されるとともに、キャパシタを含む回路素子を介して出力端に接続され、前記同相入力端子が予め定めた基準電位に接続され、前記出力端より出力される電圧を前記第２の増幅手段の同相入力端子に与える第３の増幅手段と、
前記第２の増幅手段の出力を前記第１の増幅手段の入力側に負帰還させる負帰還素子を有する帰還手段と
を具備したことを特徴とする広帯域増幅器。
【請求項３】
高入力インピーダンスを有する第１の増幅手段と、
前記第１の増幅手段に縦続接続された電流帰還型ＯＰアンプからなる第２の増幅手段と、
前記第２の増幅手段の出力を前記第１の増幅手段の入力側に負帰還させる負帰還素子を有する帰還手段と、
前記第１の増幅手段に接続され、該第１の増幅手段でのオフセット電圧をキャンセルさせる第３の増幅手段と
を具備したことを特徴とするＩ−Ｖ変換器。
【請求項４】
高入力インピーダンスを有する第１の増幅手段と、
反転入力端子と同相入力端子を有する電流帰還型ＯＰアンプからなり、前記第１の増幅手段の出力端が第１の抵抗を介して前記反転入力端子に接続された第２の増幅手段と、
反転入力端子と同相入力端子を有し、前記反転入力端子が第２の抵抗を介して前記第１の増幅手段の入力端に接続されるとともに、キャパシタを含む回路素子を介して出力端に接続され、前記同相入力端子が予め定めた基準電位に接続され、前記出力端より出力される電圧を前記第２の増幅手段の同相入力端子に与える第３の増幅手段と、
前記第２の増幅手段の出力を前記第１の増幅手段の入力側に負帰還させる負帰還素子を有する帰還手段と
を具備したことを特徴とするＩ−Ｖ変換器。
【請求項５】
前記第１の抵抗は、一部あるいは全部を前記第１の増幅手段の等価的な出力抵抗により代用されることを特徴とする請求項２又は４記載の広帯域増幅器及びＩ−Ｖ変換器。
【請求項６】
前記電流帰還型ＯＰアンプのトランスインピーダンスＺの絶対値|Ｚ|が呈する−３ｄＢカットオフ周波数fa、前記第２の抵抗及び前記キャパシタとの間にfa=1/2πCRなる関係を有することを特徴とする請求項１乃至５記載のいずれかに記載の広帯域増幅器及びＩ−Ｖ変換器。
【発明の詳細な説明】
【技術分野】
【０００１】
本発明は、電流帰還型ＯＰアンプ（別名：電流入力型ＯＰアンプ）を用いた、広い周波数帯域で動作する増幅器及びＩ−Ｖ変換器に関するものである。
【背景技術】
【０００２】
従来、広く使用されているＯＰアンプは、高周波領域（例えばビデオ信号のように数ＭＨｚの帯域を持つもの）まで使用しようとしても、利得を大きくしようとすると使用可能な周波数帯域（カットオフ周波数）が狭くなるという性質を有している。即ち、あるＯＰアンプを使用する場合、利得をＧ、帯域幅をＢとすると、その積であるＧＢはその使用するＯＰアンプに固有であり一定であった。そして当業者は、このことを「ＯＰアンプのＧＢ積は一定である」と称している。即ち、積が一定であるから、帯域幅Ｂを広くすると必然的に利得Ｇは少なくなるため、設計の自由度が狭まり扱いにくいものであった。
【０００３】
このため、ＯＰアンプは高周波領域に余り使用されていなかったが、１９８０年代の初め、この問題を解決する回路技術として電流帰還型ＯＰアンプが登場してきた。電流帰還型ＯＰアンプは、利得を変えても周波特性はほとんど影響を受けないという特徴を持っている。
【０００４】
この電流帰還型ＯＰアンプという呼び名に対して、今まで広く用いられていたＯＰアンプは電圧帰還型ＯＰアンプと称されている。これは当該ＯＰアンプの入力インピーダンスが高く、従って帰還は電圧の形でかかるため、そのように呼ばれている。
【０００５】
これに対し、電流帰還型ＯＰアンプは、その詳しい動作は後述するが、入力段の構成から、その入力インピーダンスが低いために電圧でなく電流の形で帰還がかかるためその名前が付いている。
【０００６】
＜同相増幅器を構成した場合＞
図３は電流帰還型ＯＰアンプを用いて同相増幅器を構成した場合の回路構成である。
【０００７】
図において、Viは入力信号電圧、Ａは電流帰還型ＯＰアンプであり、この同相入力（＋）にはViが印加されており、出力には抵抗Ｒ１とＲ２の直列回路が接続されており、このＲ１とＲ２の接続点に反転端子（−）が接続されている。
【０００８】
図においては、電流帰還型ＯＰアンプＡの内部を電流源Ｉn、トランスインピーダンスＺ等を用い等価的に示している。
【０００９】
電流帰還型ＯＰアンプＡの同相入力と反転入力の間には、利得１倍のバッファが入っている。そして、この入力バッファに流れる電流Inを検知して電流帰還型ＯＰアンプＡ内に図示した電流源Ｉnで同じ電流を発生し、この電流を高インピーダンスＺに流し込む事により、高い利得を得ており、この発生した電圧（In×Z）をバッファして出力電圧Voを得ている。
【００１０】
以下では、この電流帰還型ＯＰアンプを同相増幅器として使用する場合について動作説明を行う。
【００１１】
図３において、出力電圧Voは次のように表すことができる。
【００１２】
Vｏ=Z×In                                            （１）
（＋）及び（−）の入力端子間に接続された利得１のバッファアンプの効果によりVi=Vp=Vnであるので、次の式が成立する。
【数１】
2005064903.tif 000003
【００１３】
ここで、T(jf)はループ利得、すなわち帰還路を切断したときの利得であり、電流帰還型ＯＰアンプＡのトランスインピーダンスZ(jf)を用いて次のように表される。
【数２】
2005064903.tif 000004
【００１４】
尚、トランスインピーダンスZ(jf)は、周波数＝０のときのインピーダンスをZo、これが−３ｄＢとなるポイントの周波数をfaとすると、次のように表される。
【数３】
2005064903.tif 000005
【００１５】
【数４】
2005064903.tif 000006
【００１６】
ここで、このA(jf)の式の第２項に注目すると、仕上がり利得の帯域幅に関係する外付け抵抗はR2のみである。従って、一度R2で必要な帯域fAを決めれば、次にR1で利得を変えたとしても、帯域幅を表す項にはＲ1が含まれないので、仕上がりの帯域幅は変化しない。
【００１７】
実際の設計法としてはR2で必要な利得を決定し、次にＲ2に合わせてR1で所望の帯域幅を決めればよい。
【００１８】
市販製品の一例を示すと、Z0＝７１０ｋΩ、fa＝３５０ｋＨｚ、R2＝１５００Ωであり、この数値から、式（６）’を用いて閉ループ帯域幅、即ち仕上がりの帯域幅fAを計算すると１６５ＭＨｚとなる。現実の回路では２０倍の利得で１５０ＭＨｚ、５０倍の利得で７０ＭＨｚ程度の帯域幅となり、ちなみにＧＢ積を計算すると３０００ＭＨｚを超えており、電圧帰還型ＯＰアンプの最高クラス製品のＧＢ積が５００ＭＨｚ程度であることを考えると、桁違いに優れた性能である。
【００１９】
以上述べたように、電流帰還型ＯＰアンプにおいては利得と帯域幅とは無関係であることがわかる。これに対して、従来の電圧帰還型ＯＰアンプにおいては、利得と帯域幅との積（ＧＢ積）は一定という関係があり、利得Ｇを大きくすると帯域幅Ｂは狭くなってしまった。
【００２０】
＜反転増幅器を構成した場合＞
図４は電流帰還型ＯＰアンプを反転増幅器として使用した場合である。図より、次の関係が得られる。
【数５】
2005064903.tif 000007
【００２１】
従って、この増幅器の利得は次のようになる。
【数６】
2005064903.tif 000008
【００２２】
右辺の第２項は、前述の非反転増幅器の式を参考にして次のように変形できる。
【数７】
2005064903.tif 000009
【００２３】
この式から、図４の利得は、従来からよく知られている電圧帰還型ＯＰアンプによる反転増幅器の通過域の利得である(R2/R1)と、帯域幅を規定する１次低域通過特性の
【数８】
2005064903.tif 000010
＜Ｉ−Ｖ変換器を構成した場合＞
図５は電流帰還型ＯＰアンプを用いてＩ−Ｖ変換器を構成した例である。
【００２４】
反転増幅器の式（１０）を変形して次の式を得る。
【数９】
2005064903.tif 000011
【発明の開示】
【発明が解決しようとする課題】
【００２５】
ところが、前述の電流帰還型ＯＰアンプを図４に示す反転アンプ及び図５に示すＩ−Ｖ変換器として使用すると、次のような問題点がある。
【００２６】
（１）高利得を実現するためにはR2を大きくしたいが、そうするとfAの式からも分かるように周波数帯域が狭くなる。
【００２７】
（２）R2には電流帰還型ＯＰアンプの製造業者による推奨値があり、性能維持のためにはこの推奨値を使用する必要があるので設計の自由度があまりない。
【００２８】
（３）電流帰還型ＯＰアンプを用いてI−V（電流−電圧）変換器を構成する場合、電流帰還型ＯＰアンプの負入力端子（−）のインピーダンスはバッファの出力であるため出力インピーダンスが低く、またバイアス電流が流れるため、高精度（すなわち微小電流測定）のI−V変換器は構成できない。
【００２９】
本発明は、上記事情に鑑みてなされたもので、広い周波数帯域での動作が可能で、しかも設計の自由度の向上を図ることができる広帯域増幅器及びＩ−Ｖ変換器を提供することを目的とする。
【課題を解決するための手段】
【００３０】
請求項１記載の発明は、電流帰還型ＯＰアンプと、前記電流帰還型ＯＰアンプの反転入力端子に出力が接続された高入力インピーダンスを有する第１の増幅手段と、前記第１の増幅手段の入力信号及び予め定められた基準電圧が入力され、前記電流帰還型ＯＰアンプの同相入力端子に出力が接続された第２の増幅手段とを具備したことを特徴としている。
【００３１】
請求項２記載の発明は、信号入力端子に一端が接続された入力抵抗素子と、前記入力抵抗素子の他端が接続される高入力インピーダンスを有する第１の増幅手段と、反転入力端子と同相入力端子を有する電流帰還型ＯＰアンプからなり、前記第１の増幅手段の出力端が第１の抵抗素子を介して前記反転入力端子に接続された第２の増幅手段と、反転入力端子と同相入力端子を有し、該反転入力端子が第２の抵抗素子を介して前記第１の増幅手段の入力端に接続されるとともに、キャパシタを含む回路素子を介して出力端に接続され、前記同相入力端子が予め定めた基準電位に接続され、前記出力端より出力される電圧を前記第２の増幅手段の同相入力端子に与える第３の増幅手段と、前記第２の増幅手段の出力を前記第１の増幅手段の入力側に負帰還させる負帰還素子を有する帰還手段とを具備したことを特徴としている。
【００３２】
請求項３記載の発明は、高入力インピーダンスを有する第１の増幅手段と、前記第１の増幅手段に縦続接続された電流帰還型ＯＰアンプからなる第２の増幅手段と、前記第２の増幅手段の出力を前記第１の増幅手段の入力側に負帰還させる負帰還素子を有する帰還手段と、前記第１の増幅手段に接続され、該第１の増幅手段でのオフセット電圧をキャンセルさせる第３の増幅手段とを具備したことを特徴としている。
【００３３】
請求項４記載の発明は、高入力インピーダンスを有する第１の増幅手段と、反転入力端子と同相入力端子を有する電流帰還型ＯＰアンプからなり、前記第１の増幅手段の出力端が第１の抵抗を介して前記反転入力端子に接続された第２の増幅手段と、反転入力端子と同相入力端子を有し、前記反転入力端子が第２の抵抗を介して前記第１の増幅手段の入力端に接続されるとともに、キャパシタを含む回路素子を介して出力端に接続され、前記同相入力端子が予め定めた基準電位に接続され、前記出力端より出力される電圧を前記第２の増幅手段の同相入力端子に与える第３の増幅手段と、前記第２の増幅手段の出力を前記第１の増幅手段の入力側に負帰還させる負帰還素子を有する帰還手段とを具備したことを特徴としている。
【００３４】
請求項５記載の発明は、請求項２又は４記載の発明において、前記第１の抵抗は、一部あるいは全部を前記第１の増幅手段の等価的な出力抵抗により代用されることを特徴としている。
【００３５】
請求項６記載の発明は、請求項１乃至５のいずれかに記載の発明において、前記電流帰還型ＯＰアンプのトランスインピーダンスＺの絶対値|Ｚ|が呈する−３ｄＢカットオフ周波数fa、前記第２の抵抗及び前記キャパシタとの間にfa=1/2πCRなる関係を有することを特徴としている。
【発明の効果】
【００３６】
本発明では、電流帰還型ＯＰアンプに外付けした、バッファ等のインピーダンス変換素子及び該インピーダンス変換素子のオフセット補正用素子を用いることにより、広帯域増幅器及び広帯域Ｉ−Ｖ変換器を構成することができる。また、従来の電流帰還型ＯＰアンプ単体のものに比べて帰還抵抗などの値をより自由に設定できるため、設計の自由度の向上を図ることができるという効果がある。
【発明を実施するための最良の形態】
【００３７】
以下、本発明の実施例を図面に従い説明する。
【００３８】
（第１の実施例）
図１は、本発明を反転型増幅器に適用した場合の回路構成を示した図である。
【００３９】
この場合、電流帰還型ＯＰアンプを用いて反転型増幅器を構成すると、前述したように反転入力端子のインピーダンスが低く、更にバイアス電流が流れるという問題点があった。
【００４０】
そこで、本本発明は、第２の増幅手段としての電流帰還型ＯＰアンプＡ２の反転入力端子（−）に、第１の抵抗素子である抵抗R3を介して高入力インピーダンスで、かつ利得が大略１の広帯域の第１の増幅手段としてのバッファＡ１を接続し、また、電流帰還型ＯＰアンプＡ２の同相入力端子（＋）に高入力インピーダンス、低オフセットの第３の増幅手段としての演算増幅器Ａ３を接続する。演算増幅器Ａ３には、第２の抵抗素子である抵抗RとキャパシタCを外付けすることにより積分器を構成している。
【００４１】
なお、バッファＡ１は、直流オフセットＥ(V)を有していてもかまわない。また、抵抗R3は、一部あるいは全部をバッファＡ１の等価的な出力抵抗により代用してもよい。
【００４２】
そして、これらバッファＡ１、電流帰還型ＯＰアンプＡ２および演算増幅器Ａ３で一つの複合増幅器Ａ’を構成しており、この複合増幅器Ａ’に、図示のように負帰還素子としての帰還抵抗R2と入力抵抗素子としての入力抵抗R1を接続することで反転型増幅器を構成している。
【００４３】
次に、このように構成した反転型増幅器について式を用いて動作を詳細に説明する。
【数１０】
2005064903.tif 000012
【００４４】
式（１４）を変形し、トランスインピーダンスＺが非常に大いとすると、上式は次のようになる。
【数１１】
2005064903.tif 000013
【００４５】
この条件（ｅ＝０）を式（１３）に代入すると
【数１２】
2005064903.tif 000014
従って、入力電圧ei=0とすると、出力電圧もe0=0となる。
【００４６】
また、e0=Z×Inなる関係から、In=0であることが分かる。
【００４７】
即ち、次のようになる。
【数１３】
2005064903.tif 000015
【００４８】
以上のように、演算増幅器Ａ３の積分器効果により、バッファＡ１にオフセット電圧が存在してもこれをキャンセルすることができる。
【００４９】
＜交流特性＞
図１に示す反転型増幅器において、演算増幅器Ａ３による積分器の影響を含んだ交流特性、すなわち周波数特性は次の通りである。
【００５０】
R3を流れる電流の関係より次式を得る。
【数１４】
2005064903.tif 000016
【００５１】
一方、R1を流れた電流はR2、Rに分流するので
【数１５】
2005064903.tif 000017
となり、もし上式の右辺において1+jωCR=１+j(ω/ωａ)が成立すれば、即ち、ωａCR=1であればG(jω)の分母は１次式に簡略化される。これはトランスインピーダンスＺの絶対値|Ｚ|が呈する−３ｄＢカットオフ周波数をｆａとすると、ｆａ=1/2πCRが成立することである。
【００５２】
この条件を用いると上記の利得G(jω)は次のようになる。
【数１６】
2005064903.tif 000018
【００５３】
上式において、右辺の第２項は周波数特性を表しており、この項は前述した単体の反転型増幅器の特性と比較して
【数１７】
2005064903.tif 000019
が余分に入っている。このため図１の反転型増幅器の場合、単体のものに比べて帯域幅は減少するが、ωAは通常の電圧帰還型ＯＰアンプに比べて非常に大きいので広帯域の反転増幅器が構成できる。
【００５４】
また、図４に示した従来の電流帰還型ＯＰアンプ単体のものは、与えられたＯＰアンプに対して帰還抵抗には推奨値が決められていたため、入力抵抗と帰還抵抗を自由に設定することは難しかった。これに対して本発明の場合は、入力抵抗R1、帰還抵抗R2の値を抵抗Ｒ3とは独立に設定できるため、設計の自由度が向上するというメリットがある。
【００５５】
なお、図１に示すバッファＡ１は、利得が１倍のバッファアンプとして説明したが、利得を有していてもかまわないし、利得が１以下であってもかまわない。また、負帰還ループを安定に動作させるため、バッファＡ１の帯域幅は電流帰還型ＯＰアンプＡ２の帯域幅に比べて十分広いことが必要である。
【００５６】
（第２の実施例）
図２は、本発明をＩ−Ｖ変換器に適用した場合の回路構成を示すもので、ここでは、図１と同一部分には、同符号を付している。
【００５７】
Ｉ−Ｖ変換器は、入力電流（I）を電圧（V）に変換して出力する機能を有するもので、このようなＩ−Ｖ変換器は、前述の反転増幅器を一部変形することにより解析できる。
【００５８】
反転増幅器の入出力関係は前述の通り、次のように表される。
【数１８】
2005064903.tif 000020
【００５９】
と表すことができる。
【００６０】
次に、Ｉ−Ｖ変換器においては、入力は電流源であり、そのインピーダンスは無限大であるのでR1→∞とすると、結局、式は次のようになる。
【数１９】
2005064903.tif 000021
【００６１】
この結果を考察すると、項(1+R2/R)の存在によって、電流帰還型ＯＰアンプ単体に比べて帯域幅は減少する。しかし、抵抗Rについてみると、演算増幅器Ａ３の反転端子は仮想接地点となっているため、バッファＡ１と電流帰還型ＯＰアンプＡ２は、R2/Rなる電圧利得を持つことになる。このため、RをR2の１０倍以上に選べば、ノイズ利得は１．１倍以下となり、Rを無限大にしたときの１倍に比べ１０％以下の増加ですむことになる。このように、抵抗雑音等の観点からRをR2の１０倍以上に選べば項(1+R2/R)は１に近い値となり、項(1+R2/R)の影響は無視できる。
【００６２】
従って、本発明のＩ−Ｖ変換器においては、単体の電流帰還型ＯＰアンプの持つ広帯域特性をそのまま享受することができる。
【００６３】
以上、本発明の、電流帰還型ＯＰアンプＡ２を使用した複合型増幅器によるＩ−Ｖ変換器によれば、R3で帯域幅ωAを決め、抵抗R2で電流／電圧変換利得を決める。そして、仕上がりの帯域幅はωA/(1+R2/R)であるが、R≫R2なる条件で使用すれば概ねωAとなる。
【００６４】
ところで、上述の図５に示した単体の電流帰還型ＯＰアンプにおいては、Ｉ−Ｖ変換器の変換利得はR2により決まるが、同時に、このR2は電流帰還型ＯＰアンプの帯域幅を決定しており、更に製造業者による推奨値もあるため、その値は自由に決定できなかった。
【００６５】
これに対して、図２に示す本発明のＩ−Ｖ変換器では、帯域幅の設定はR3により行い、電流−電圧の変換利得を決める抵抗R2とは無関係である。このため、変換利得の値R2は帯域幅とは無関係に自由に決めることができるというメリットがある。
【００６６】
なお、本発明は、上記実施の形態に限定されるものでなく、実施段階では、その要旨を変更しない範囲で種々変形することが可能である。
【００６７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００６８】
【図１】本発明の第１の実施例における反転増幅器の回路構成を示す図。
【図２】本発明の第２の実施例におけるＩ−Ｖ変換器の回路構成を示す図。
【図３】従来の電流帰還型ＯＰアンプによる同相増幅器の回路構成を示す図。
【図４】従来の電流帰還型ＯＰアンプによる反転増幅器の回路構成を示す図。
【図５】従来の電流帰還型ＯＰアンプによるＩ−Ｖ変換器の回路構成を示す図。
【符号の説明】
【００６９】
ei          入力電圧
eo          出力電圧
Ｒ１、Ｒ２、Ｒ３、Ｒ    抵抗
Ｃ          キャパシタ
Ｚ          トランスインピーダンス
Ａ１        バッファ
Ａ２        電流帰還型ＯＰアンプ
Ａ３        低オフセットＯＰアンプ
Ａ          複合型増幅器
【図１】
2005064903.tif 000022
【図２】
2005064903.tif 000023
【図３】
2005064903.tif 000024
【図４】
2005064903.tif 000025
【図５】
2005064903.tif 000026